(57)【要約】      （修正有）【課題】  液晶基板の洗浄において、洗浄液は、回転するカップブラシのブラシセグメント内の台座の中心領域に浸入して滞留しすぐには外に流出しないので、液晶面を傷つけることがなく、効率良く洗浄できる状態が長続きするカップブラシを提供する。【解決手段】  複数の第１ブラシセグメント４１を、円盤状台座１０の中心から外縁に向かって径方向に、且つ隣り合う第１ブラシセグメント４１同士を所定間隔で設けるとともに、該間隔内の領域に第２ブラシセグメント４２を設けた。【選択図】  図４
2007167361.tif 000002
【特許請求の範囲】
【請求項１】
円盤状台座に渦巻き状のブラシセグメントを設けたことを特徴とするカップブラシ。
【請求項２】
複数のＵ字状ブラシセグメントを、開放されている両端を円盤状台座の中心側、湾曲部分が外縁側となるように円盤状台座の中心から外縁に向かって径方向に、且つ隣り合う前記ブラシセグメント同士を所定間隔で設けたことを特徴とするカップブラシ。
【請求項３】
複数の第１ブラシセグメントを、円盤状台座の中心から外縁に向かって径方向に、且つ隣り合う第１ブラシセグメント同士を所定間隔で設けるとともに、該間隔内の領域に第２ブラシセグメントを設けたことを特徴とするカップブラシ。
【請求項４】
前記第１ブラシセグメントは、Ｕ字状である請求項３に記載のカップブラシ。
【請求項５】
前記第１ブラシセグメントは、円弧状である請求項３に記載のカップブラシ。
【請求項６】
前記第１ブラシセグメントは、Ｌ字状であり十字状の間隙を形成している請求項３に記載のカップブラシ。
【請求項７】
前記第１ブラシセグメントは、蛇行して設けられている請求項３に記載のカップブラシ。
【請求項８】
前記各ブラシセグメントはチャンネルブラシである請求項１〜７のいずれか１項に記載のカップブラシ。
【発明の詳細な説明】
【技術分野】
【０００１】
本発明は、液晶基板の洗浄に使用されるカップブラシに関するものである。本明細書において、ブラシセグメントとは、複数本の樹脂のブラシ毛が基台の表面から突出して、基台に溶着された状態で成形されている溶着ブラシ、植込みブラシ、チヤンネルブラシや複数のブラシ毛を束ねて形成したブラシ毛束等をいう。
【背景技術】
【０００２】
液晶基板の洗浄においては、液晶基板の表面に洗浄液を吹き付けながらカップブラシが回転して洗浄するスクラブ洗浄が行われている。一般的なカップブラシは、台座にブラシセグメントが環状配列して取り付けられているため、カップブラシを回転させると、遠心力によって環状配列したブラシセグメントの環の中に洗浄液が入らずに、効率の悪い洗浄が行われてしまう。
【０００３】
そこで、台座に複数のチヤンネルブラシを外周方向に向って放射状に設けたカップブラシが提案されている。このカップブラシの場合には、液晶基板の洗浄において、洗浄液がブラシセグメント内の台座の中心領域まで浸入する。
【特許文献１】特開２００５―７１２０号公報
【発明の開示】
【発明が解決しようとする課題】
【０００４】
上記のカップブラシは、液晶基板の洗浄において、基板の表面に吹き付けた洗浄液が回転するカップブラシのブラシセグメント内の台座中心の領域に浸入するが、浸入した洗浄液は遠心力が作用して、すぐに、カップブラシの外に流出してしまう。そのまま洗浄を続けると洗浄効果が低減するだけでなく、液晶面を傷つけて液晶基板の商品価値を損なう虞があるため改善が望まれていた。
【０００５】
本発明は、液晶基板の洗浄において、洗浄液は、回転するカップブラシのブラシセグメント内の台座の中心領域に浸入して滞留して、カップブラシの外に流出しないので、液晶面を傷つけることがなく、しかも効率良く洗浄できる状態が長続きするカップブラシを提供することを目的とする。
【課題を解決するための手段】
【０００６】
前記課題を解決するために請求項１記載の発明は、円盤状台座に渦巻き状のブラシセグメントを設けたことを特徴とするカップブラシである。
【０００７】
また、請求項２記載の発明は、複数のＵ字状ブラシセグメントを、開放されている両端を円盤状台座の中心側、湾曲部分が外縁側となるように円盤状台座の中心から外縁に向かって径方向に、且つ隣り合う前記ブラシセグメント同士を所定間隔で設けたことを特徴とするカップブラシである。
【０００８】
また、請求項３記載の発明は、複数の第１ブラシセグメントを、円盤状台座の中心から外縁に向かって径方向に、且つ隣り合う第１ブラシセグメント同士を所定間隔で設けるとともに、該間隔内の領域に第２ブラシセグメントを設けたことを特徴とするカップブラシである。
【０００９】
また、請求項４記載の発明は、前記第１ブラシセグメントは、Ｕ字状である請求項３に記載のカップブラシである。
【００１０】
また、請求項５記載の発明は、第１ブラシセグメントは、円弧状である請求項３に記載のカップブラシである。
【００１１】
また、請求項６記載の発明は、前記第１ブラシセグメントは、Ｌ字状であり十字状の間隙を形成している請求項３に記載のカップブラシである。
【００１２】
また、請求項７記載の発明は、前記第１ブラシセグメントは、蛇行して設けられている請求項３に記載のカップブラシである。
【００１３】
また、請求項８記載の発明は、前記各ブラシセグメントはチャンネルブラシである請求項１〜７のいずれか１項に記載のカップブラシである。
【発明の効果】
【００１４】
本発明によれば、洗浄液は、回転するカップブラシのブラシセグメント内の台座の中心領域に浸入したまま滞留するので、カップブラシの外に流出しにくく、液晶面を傷つけることがない。しかも、回転するカップブラシでの洗浄は効率の良い状態が長続きする
【発明を実施するための最良の形態】
【００１５】
以下、図面に基づいて本発明の実施例を説明する。
【実施例１】
【００１６】
図１（ａ）は本発明の実施例１に係るカップブラシの概略斜視図、（ｂ）は同概略平面図である。図１（ａ），（ｂ）において、カップブラシ１は、右渦巻き状のブラシセグメント１１を、円盤状台座１０の底面に設けたものである。カップブラシ１は、洗浄液を吹き付けながら右回転で使用する。右渦巻き状のブラシセグメント１１が洗浄液の浸入ガイドと滞留壁を兼用するように機能し、洗浄液はカップブラシ１に設けた右渦巻きに沿って、渦巻きの中心付近の円盤状台座１０の中心領域まで容易に浸入して滞留する。
【実施例２】
【００１７】
図２は本発明の実施例２に係るカップブラシの概略平面図である。図２において、カップブラシ２は、９または６の数字形の左渦巻き状のブラシセグメント１２を、円盤状台座１０の底面に設けたものである。実施例２のカップブラシ２は、洗浄液を吹き付けながら左回転で使用する。数字形の左渦巻き状のブラシセグメント１２が洗浄液の浸入ガイドと滞留壁を兼用するように機能し、洗浄液はカップブラシ２に設けた左渦巻きに沿って、渦巻きの中心付近の円盤状台座１０の中心領域まで容易に浸入して滞留する。
【実施例３】
【００１８】
図３（ａ）は本発明の実施例３に係るカップブラシの概略斜視図、（ｂ）は同概略平面図である。図３（ａ），（ｂ）において、カップブラシ３は、複数のＵ字状のブラシセグメント１３を、開放されている両端を円盤状台座の中心側、湾曲部分が外縁側となるように円盤状台座１０の中心から外縁に向かって径方向に、且つ、隣り合うＵ字状のブラシセグメント１３同士を所定間隔で複数（図では３つ）設けたものである。
【００１９】
実施例３のカップブラシ３では、Ｕ字状のブラシセグメント１３の湾曲部分の外壁１３ａが洗浄液の浸入ガイドとして機能し、湾曲部分の内壁１３ｂが洗浄液の流出防止用の滞留壁（以下の説明では洗浄液の滞留壁という）として機能する。
【実施例４】
【００２０】
図４（ａ）は本発明の実施例４に係るカップブラシの斜視図、（ｂ）は（ａ）のカップブラシの概略平面図である。
【００２１】
図４（ａ）（ｂ）において、カップブラシ４は、円盤状台座１０を有している。そして、Ｕ字状の複数（図では４つ）の第１ブラシセグメント４１を、開放されている両端を円盤状台座の中心側、湾曲部分が外縁側となるように円盤状台座の中心から外縁に向かって径方向にして、円盤状台座１０の中心から外縁に向かって径方向に、且つ隣り合う前記ブラシセグメント同士を所定間隔で設けている。そして、台座１０において隣り合う第１ブラシセグメント４１同士の間の領域内のそれぞれに円弧状の第２ブラシセグメント４２を配置し、各第２ブラシセグメント４２が所定間隔で環状に配列されるように設けたものである。
【００２２】
カップブラシ４は、図示しない液晶基板の洗浄において、洗浄液を吹き付けた液晶基板の表面にカップブラシ４を回転させて摺接させると、液晶基板の表面に吹き付けた洗浄液が、カップブラシ４に設けた第１および／または第２ブラシセグメント４１，４２の外壁４１ａ，４２ａによる洗浄液の浸入ガイドに沿って回転するカップブラシの隣り合う第１および／または第２ブラシセグメント４１，４２同士の間から台座の中心付近の領域に浸入する。
【００２３】
その後、カップブラシ４の回転により外部へ流出しようとする洗浄液は、カップブラシ４に設けた第１および／または第２ブラシセグメント４１，４２の内壁４１ｂ，４２ｂからなる滞留壁により、外部への流出が制限されて、しばらく台座１０の中心付近の液晶基板の面に滞留する。
【００２４】
図５（ａ）〜（ｅ）は本発明の実施例５〜９に係るカップブラシの概略平面図、図６は本発明の実施例１０に係るカップブラシの概略平面図である。後述する実施例５〜１０におけるカップブラシは、実施例４のカップブラシ４と同様に、円盤状台座に第１と第２の２種のブラシセグメントを複数設けたものであり、各ブラシセグメントの形状は異なるが、実施例５〜１０における２種のブラシセグメントは実施例４のカップブラシ４と同様に作用するものである。したがって、以下の実施例５〜１０における各カップブラシの作用については概略の説明に留めることとする。
【実施例５】
【００２５】
図５（ａ）に示した実施例５のカップブラシ５は、４つの直線状の第１ブラシセグメント５１を、円盤状台座１０の中心から外縁に向かって径方向に設け、隣り合う第１ブラシセグメント５１同士を等角度間隔で設けている。そして、台座１０において隣り合う第１ブラシセグメント５１同士の間の領域に大小の円弧状の第２ブラシセグメント５２，第３ブラシセグメント５３を径方向に離間して配列し、第２ブラシセグメント５２と第３ブラシセグメント５３のそれぞれが適宜の間隔で環状に配列され、第２ブラシセグメント５２による環状配列の内側に、第３ブラシセグメント５３を環状配列して、二重の環状配列となるように設けたものである。
【００２６】
実施例５のカップブラシ５では、直線状の第１ブラシセグメント５１が洗浄液の浸入ガイドとして機能し、大小の円弧状の第２、第３ブラシセグメント５２，５３の各内壁５２ｂ，５３ｂが洗浄液の滞留壁として機能する。
【実施例６】
【００２７】
図５（ｂ）に示した実施例６のカップブラシ６は、４つの円弧状の第１ブラシセグメント６１を、円盤状台座１０の中心から外縁に向かって径方向に設け、隣り合う第１ブラシセグメント６１同士を等角度間隔で設けている。そして、台座１０において隣り合う円弧状の第１ブラシセグメント６１同士の間の領域に十字に組み合わせた第２ブラシセグメント６２を設けたものである。
【００２８】
実施例６のカップブラシ６は、円弧状の膨らみ部分が回転方向に移動するように洗浄液を吹き付けながら使用すると良い。図５（ｂ）に示したカップブラシ６は、右回転で使用することで、第１ブラシセグメント６１の円弧状の膨らみ部分が回転方向に移動し、第１ブラシセグメント６１が洗浄液の浸入ガイドとして機能し、十字に組み合わせた第２ブラシセグメント６２が洗浄液の滞留壁として機能する。
【実施例７】
【００２９】
図５（ｃ）に示した実施例７のカップブラシ７は、先端部を曲げてヘ字状に形成した４つの第１ブラシセグメント７１を、円盤状台座１０の中心から外縁に向かって径方向に設け、隣り合う第１ブラシセグメント７１同士を等角度間隔で設けている。そして、台座１０において隣り合うブラシセグメント７１同士の間の領域に平行四辺形の第２ブラシセグメント７２を設けたものである。
【００３０】
実施例７のカップブラシ７においても、ヘ字状の膨らみ部分が回転方向に移動するように洗浄液を吹き付けながら使用すると良い。図５（ｃ）に示したカップブラシ７は、右回転で使用することで、第１ブラシセグメント７１のヘ字状の膨らみ部分が回転方向に移動し、４つの第１ブラシセグメント７１が洗浄液の浸入ガイドとして機能し、平行四辺形の第２ブラシセグメント７２が洗浄液の浸入ガイドと滞留壁を兼用するように機能する。
【実施例８】
【００３１】
図５（ｄ）に示した実施例８のカップブラシ８は、波状に蛇行して形成した４つの第１ブラシセグメント８１を、円盤状台座１０の中心から外縁に向かって径方向に設け、隣り合う第１ブラシセグメント８１同士を等角度間隔で設けている。そして、台座１０において隣り合う第１ブラシセグメント５１同士の間の領域に、複数本のブラシ毛を束ねて形成したブラシ毛束からなる第２ブラシセグメント８２の複数個を相互に離間して点在するように設けたものである。
【００３２】
実施例８のカップブラシ８では、波状に蛇行して設けられた第１ブラシセグメント８１が洗浄液の浸入ガイドとして機能し、複数のブラシ毛束からなる第２ブラシセグメント８２が洗浄液の浸入ガイドと滞留壁を兼用するように機能する。
【実施例９】
【００３３】
図５（ｅ）に示した実施例９のカップブラシ９は、直角に曲げて形成した４つのＬ字状の第１ブラシセグメント９１を、直角に曲げた山側の部分を中心側にして、円盤状台座１０の中心から外縁に向かって径方向に設け、隣り合う第１ブラシセグメント９１同士を等角度間隔に配置して、各第１ブラシセグメント９１が十字状の間隙を形成するように設けている。そして、台座１０において隣り合うブラシセグメント９１同士の十字状の間隙の領域９ａ、および、個々のＬ字状のブラシセグメント９１が円盤状台座１０の外縁との間を囲み込むブラシセグメント９１の包囲領域９ｂ内に、複数のブラシ毛束からなる第２ブラシセグメント９２を相互に離間して点在するように設けたものである。
【００３４】
実施例９のカップブラシ９では、４つのＬ字状の第１ブラシセグメント９１が洗浄液の浸入ガイドとして機能し、複数のブラシ毛束からなる第２ブラシセグメント９２が洗浄液の浸入ガイドと滞留壁を兼用するように機能する。
【実施例１０】
【００３５】
図６に示した実施例１０のカップブラシ１５は、湾曲した６つの円弧状の第１ブラシセグメント１０１の２つを互いの凹部を向い合せにして１組のブラシセグメント対１０２として、各第１ブラシセグメント１０１ａ，１０１ｂを円盤状台座１０の中心から外縁に向かって径方向に設け、隣り合うブラシセグメント対１０２同士を等角度間隔で設けている。この場合、１組のブラシセグメント対１０２において、円弧状の膨らみ部分が回転方向に移動する一方のブラシセグメント１０１を前記した実施例４〜９における第１ブラシセグメントとし、向きの異なる他方を第２ブラシセグメントと考えることができる。
【００３６】
実施例１０のカップブラシ１５では、各組のブラシセグメント対１０２を構成する１対の第１ブラシセグメント１０１の各外壁１０１ａが洗浄液の浸入ガイドとして機能し、ブラシセグメント対１０２の各内壁１０１ｂが洗浄液の滞留壁として機能する。
【００３７】
以上、本発明の実施例を詳述したが、本発明は、前記実施例に限定されるものではない。そして、本発明は、特許請求の範囲に記載された事項を逸脱することがなければ、種々の設計変更を行うことが可能である。
【図面の簡単な説明】
【００３８】
【図１】（ａ）は本発明の実施例１に係るカップブラシの概略斜視図、（ｂ）は同概略平面図である。
【図２】本発明の実施例２に係るカップブラシの概略平面図である。
【図３】（ａ）は本発明の実施例３に係るカップブラシの概略斜視図、（ｂ）は同概略平面図である。
【図４】（ａ）は本発明の実施例４に係るカップブラシの斜視図、（ｂ）は（ａ）のカップブラシの概略平面図である。
【図５】（ａ）〜（ｅ）は本発明の実施例５〜９に係るカップブラシの概略平面図である。
【図６】本発明の実施例１０に係るカップブラシの概略平面図である。
【符号の説明】
【００３９】
１〜９，１５  カップブラシ
９ａ  第１ブラシセグメント９１同士の十字状の間隙の領域
９ｂ  第１ブラシセグメント９１の包囲領域
１０  台座
１１  右渦巻き状のブラシセグメント
１２  数字形の左渦巻き状のブラシセグメント
１３  Ｕ字状のブラシセグメント
４１，５１，６１，７１，８１，９１  第１ブラシセグメント
４２，５２，６２，７２，８２，９２  第２ブラシセグメント
１３ａ  Ｕ字状のブラシセグメントの外壁
１３ｂ  Ｕ字状のブラシセグメントの内壁
１０１円弧状の第１ブラシセグメント
１０２  １組のブラシセグメント対
【図１】
2007167361.tif 000003
【図２】
2007167361.tif 000004
【図３】
2007167361.tif 000005
【図４】
2007167361.tif 000006
【図５】
2007167361.tif 000007
【図６】
2007167361.tif 000008